(57)【要約】      （修正有）【課題】地震で目地部が狭くなるように左右の床躯体が揺れ動いた場合に、目地プレートの後端部を上方へスムーズに押し上げることができる床用目地装置を提供する。【解決手段】一方の床躯体の目地部側床面に形成された目地プレートスライド支持凹部５と、この目地プレートスライド支持凹部５に先端部がスライド移動可能に支持され、後端部が他方の床躯体の目地部側に上方へ移動できるように取付けられた目地プレート８と、この目地プレート８の後端部寄りの底面に設けられた目地プレート押し上げ片１５と、目地プレート押し上げ片１５を上方へ押し上げるローラーを用いた押し上げ機構１７と、目地プレートの先端部に取付けられたカバープレート１３とで床用目地装置を構成している。【選択図】図２
2015021361.tif 000002
【特許請求の範囲】
【請求項１】
目地部を介して設けられた左右の床躯体の一方の床躯体の目地部側床面に形成された、反目地部側が傾斜面の目地プレートスライド支持凹部と、この目地プレートスライド支持凹部に先端部がスライド移動可能に支持され、後端部が前記左右の床躯体の他方の床躯体の目地部側に、先端部が上方へ回動でき、かつ後端部が上方へ移動できるように取付けられた目地プレートと、この目地プレートの後端部寄りの底面に設けられた、該後端部側が順次下方に位置する傾斜面の目地プレート押し上げ片と、前記一方の床躯体の目地部側に取付けられた、地震で目地部が狭くなると前記目地プレート押し上げ片と係合して、該目地プレート押し上げ片を上方へ押し上げるローラーを用いた押し上げ機構と、前記目地プレートの先端部に取付けられたカバープレートとで構成されていることを特徴とする床用目地装置。
【請求項２】
押し上げ機構は円柱状あるいは球状のローラーと、このローラーの上部が外方へ突出し、回転するように支持するブラケットで構成されていることを特徴とする請求項１記載の床用目地装置。
【請求項３】
押し上げ機構は球状の複数個のローラーと、この複数個のローラーの上部が外方へ突出し、回転するように支持する樋状のブラケットと、前記複数個のローラー間で前記ブラケット内に位置するように取付けられた、該ローラーの前後方向の移動および位置決めを図るための複数個のコイルスプリングとで構成されていることを特徴とする請求項１記載の床用目地装置。
【発明の詳細な説明】
【技術分野】
【０００１】
本発明は目地部を介して設けられた左右の床躯体間の目地部を、地震で目地部が広くなったり、狭くなっても完全に覆うことができる床用目地装置に関する。
【背景技術】
【０００２】
従来、この種の床用目地装置は一方の床躯体の目地部側床面に、反目地部側が傾斜面に形成された目地プレートスライド凹部と、この目地プレートスライド凹部に先端部がスライド移動可能に支持され、後端部が他方の床躯体の目地部側に、先端部が上方へ回動でき、かつ後端部が上方へ移動できるように取付けられた目地プレートと、この目地プレートの後端部寄りの底面に設けられた、地震で目地部が狭くなると前記一方の床躯体の目地部側の目地プレートスライド凹部の上端部で上方へ押し上げることができる傾斜面の押し上げ片と、前記目地プレートの先端部および後端部に取付けられたカバープレートとで構成されている。
【０００３】
このように構成された床用目地装置は、地震で目地部が狭くなって目地プレートの先端部が一方の床躯体上へ突出した場合、カバープレートの先端部が一方の床躯体の床面より上がり、走行者の足がカバープレートの下部へ入り込む危険があった。
この欠点を解消するために、目地プレートの先端部が一方の床躯体上へ突出すると、該目地プレートの後端部を上方へ押し上げるせり上げ機構を用いる考えもあるが、構造が複雑で、コスト高になるという欠点があった。
【先行技術文献】
【特許文献】
【０００４】
【特許文献１】特許第４１４３０７５号公報
【発明の概要】
【発明が解決しようとする課題】
【０００５】
本発明は以上のような従来の欠点に鑑み、地震で目地部が狭くなるように左右の床躯体が揺れ動いた場合、目地プレートの先端部のカバープレートの先端部が一方の床躯体の床面より離れないように、目地プレートの後端部を上方へスムーズに押し上げることができる、構造が簡単で、安価に設置することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の一方の床躯体の目地部側床面に形成された、反目地部側が傾斜面の目地プレートスライド支持凹部と、この目地プレートスライド支持凹部に先端部がスライド移動可能に支持され、後端部が前記左右の床躯体の他方の床躯体の目地部側に、先端部が上方へ回動でき、かつ後端部が上方へ移動できるように取付けられた目地プレートと、この目地プレートの後端部寄りの底面に設けられた、該後端部側が順次下方に位置する傾斜面の目地プレート押し上げ片と、前記一方の床躯体の目地部側に取付けられた、地震で目地部が狭くなると前記目地プレート押し上げ片と係合して、該目地プレート押し上げ片を上方へ押し上げるローラーを用いた押し上げ機構と、前記目地プレートの先端部に取付けられたカバープレートとで床用目地装置を構成している。
【発明の効果】
【０００８】
以上の説明から明らかなように、本発明にあっては次に列挙する効果が得られる。
（１）請求項１により、地震で目地部が狭くなると、押し上げ機構のローラーによって、目地プレートの押し上げ片をスムーズに押し上げ、目地プレートの先端部のカバープレートの先端部が床躯体の床面より上がるのを防止することができる。
したがって、目地プレートの先端部のカバープレート内へ足が侵入して怪我をする等の不具合を確実に防止することができる。
（２）前記（１）により、傾斜面の目地プレート押し上げ片を押し上げ機構のローラーで押し上げるため、構造が簡単で、スムーズに目地プレートの後端部を押し上げることができる。
（３）前記（１）により、目地プレートの後部寄りの底面に設ける目地プレート押し上げ片を押し上げ機構のローラーで押し上げるので、目地プレートは一方が目地プレートスライド支持凹部の傾斜面の上部に支持され、他方なローラーで支持されるので、ガタ付くことなく、安定状態で支持される。
（４）請求項２も前記（１）〜（３）と同様な効果が得られるとともに、円柱状あるいは球状のローラーをブラケットで支持するので、構造が簡単で、容易に設置することができる。
（５）請求項３も前記（１）〜（３）と同様な効果が得られるとともに、左右の床躯体の異なる前後方向の揺れ動きも、小さな抵抗でスムーズに吸収することができる。
【図面の簡単な説明】
【０００９】
【図１】本発明を実施するための第１の形態の平面図。
【図２】図１の２−２線に沿う断面図。
【図３】本発明を実施するための第１の形態の目地プレートの説明図。
【図４】本発明を実施するための第１の形態の押し上げ機構の説明図。
【図５】本発明を実施するための第１の形態の地震で目地部が狭くなっていく状態の説明図。
【図６】本発明を実施するための第１の形態の地震で目地部が広くなった状態の説明図。
【図７】本発明を実施するための第２の形態の平面図。
【図８】図７の８−８線に沿う断面図。
【図９】本発明を実施するための第２の形態の押し上げ機構の説明図。
【図１０】本発明を実施するための第３の形態の平面図。
【図１１】図１０の１１−１１線に沿う断面図。
【図１２】本発明を実施するための第３の形態の押し上げ機構の説明図。
【図１３】本発明を実施するための第４の形態の平面図。
【図１４】図１３の１４−１４線に沿う断面図。
【図１５】本発明を実施するための第４の形態の押し上げ機構の説明図。
【図１６】地震で異なる前後方向に左右の床躯体が揺れ動いた状態の説明図。
【図１７】本発明を実施するための第５の形態の平面図。
【図１８】図１７の１８−１８線に沿う断面図。
【図１９】本発明を実施するための第５の形態の押し上げ機構の説明図。
【発明を実施するための形態】
【００１０】
以下、図面に示す本発明を実施するための形態により、本発明を詳細に説明する。
【００１１】
図１ないし図６に示す本発明を実施するための第１の形態において、１は例えば幅寸法が６８０ｍｍの目地部２を介して設けられた左右の建物を含む左右の床躯体３、３の目地部２を覆う本発明の床用目地装置で、この床用目地装置１は前記左右の床躯体３、３の一方の床躯体３の目地部側床面に形成された、反目地部側が傾斜面４の目地部２の幅寸法Ｌとほぼ同じ寸法の目地プレートスライド支持凹部５と、この目地プレートスライド支持凹部５の上面を必要に応じて覆う金属材製の下地プレート６と、前記目地プレートスライド支持凹部５あるいは下地プレート６と対応する他方の床躯体３の目地部側床面に形成された目地プレート支持凹部７と、この目地プレート支持凹部７に後端部が支持され、先端部が前記目地プレートスライド支持凹部５あるいは下地プレート６を覆うように取付けられる、長さが、例えば１４３０ｍｍ、幅寸法が７００ｍｍ、長さ寸法が１００ｍｍの目地プレート８、８、８と、この目地プレート８、８、８の後部両側に形成された係合ピン係合ボックス９、９、９、９、９、９と係合し、前記目地プレート８、８、８の先端部の上方への回動および後端部の上方への移動ができる前記目地プレート支持凹部７に設けられた係合ピン１０、１０、１０、１０、１０、１０とからなる目地プレート取付具１１、１１、１１、１１、１１、１１と、前記目地プレート８、８、８の先端部と後端部にそれぞれヒンジ部材１２、１２を介して取付けられた先端部が上下方向に回動する長さ寸法が１５０ｍｍのカバープレート１３、１３、１３、１３、１３、１３と、前記、目地プレート８、８、８の後部寄りの底面に溶接等によって固定された後部側が下方へ突出する傾斜面１４が形成された直角三角形状の目地プレート押し上げ片１５、１５、１５と、前記一方の床躯体３の目地部側の床躯体の前記目地プレート８、８、８の両側寄りの部位に取付けられた、前記目地プレート押し上げ片１５、１５、１５を押し上げることができるローラー１６を用いた押し上げ機構１７、１７、１７、１７、１７、１７とで構成されている。
【００１２】
前記押し上げ機構１７、１７、１７、１７、１７、１７は軸心に外方へ突出する軸１８が設けられた円柱状のローラー１６と、このローラー１６の上部が上部外方へ突出し、前記軸１８の両端部を支持し、前記一方の床躯体３の目地部側にタッピングビス１９、１９、１９、１９で固定される一対のブラケット２０、２０とで構成されている。
【００１３】
上記構成の床用目地装置１は、通常時には一方の床躯体３の目地プレートスライド支持凹部５あるいは下地プレート６と他方の床躯体３の目地プレート支持凹部７は並列設置された目地プレート８、８、８で覆われ、左右の床躯体３、３の床面３ａ、３ａと目地プレート８、８、８の上面とはほぼ同一面となって、目地部２を覆っている。
【００１４】
また、目地プレート８、８、８は後端両側部の係合ピン係合ボックス９、９、９、９、９、９に目地プレート支持凹部７に固定された係合ピン１０、１０、１０、１０、１０、１０で係合されて取付けられているため、該目地プレート支持凹部７より脱落しないように取付けられている。
【００１５】
地震で目地部２が狭くなるように左右の床躯体３、３が揺れ動くと、図５に示すように目地プレート８、８、８の先端部が傾斜面４に沿って、まず一方の床躯体３上へ突出するが、カバープレート１３、１３、１３の先端部が床面３ａに接しているため、安全である。
【００１６】
さらに、目地部２が狭くなると目地プレート８、８、８の先端部が一方の床躯体３上へ突出するとともに、一方の床躯体３の目地部側に設置された押し上げ機構１７、１７、１７、１７、１７、１７のローラー１６、１６、１６、１６、１６、１６が目地プレート８、８、８の後端部の底面に固定された目地プレート押し上げ片１５、１５、１５と接触して目地プレート８、８、８の後端部を上方へ押し上げ、目地プレート８、８、８をほぼ水平状態に位置させる。
【００１７】
この状態では、目地プレート８、８、８は目地プレートスライド支持凹部５の傾斜面４の上部に一方が支持され、他方は押し上げ機構１７、１７、１７、１７、１７、１７のローラー１６、１６、１６、１６、１６、１６によって目地プレート押し上げ片１５、１５、１５が押し上げられており、目地プレート８、８、８は安定した状態で支持されている。
【００１８】
なお、押し上げ機構１７、１７、１７、１７、１７、１７のローラー１６、１６、１６、１６、１６、１６が目地プレート押し上げ片１５、１５、１５と接触するまでは、目地プレート８、８、８の先端部のカバープレート１３、１３、１３の先端部は一方の床躯体３の床面３ａと接触した状態になっている。
【００１９】
また、目地プレート８、８、８の後部が押し上げ機構１７、１７、１７、１７、１７、１７のローラー１６、１６、１６、１６、１６、１６で目地プレート押し上げ片１５、１５、１５を介して押し上げられると、目地プレート８、８、８後部のカバープレート１３、１３、１３が傾斜して、目地プレート８、８、８の後端部に衝突するような危険を防止する。
【００２０】
地震で目地部２が広くなるように左右の床躯体３、３が揺れ動くと、目地プレート８、８、８も他方の床躯体３と一体となって移動するため、目地プレート８、８、８の先端部は目地プレートスライド支持凹部５あるいは下地プレート６上をスライド移動して、その揺れ動きを吸収する。
【００２１】
[発明を実施するための異なる形態]
次に、図７ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図７ないし図９に示す本発明を実施するための第２の形態において、前記本発明を実施するための第１の形態と主に異なる点は、球状のローラー１６Ａと、このローラー１６Ａの上部が上部外方へ突出する箱状のブラケット２０Ａとからなる押し上げ機構１７Ａ、１７Ａ、１７Ａ、１７Ａ、１７Ａ、１７Ａを用いた点で、このように構成した押し上げ機構１７Ａ、１７Ａ、１７Ａ、１７Ａ、１７Ａ、１７Ａを用いた床用目地装置１Ａにしても、前記本発明を実施するための第１の形態と同様な作用効果が得られる。
【００２３】
図１０ないし図１２に示す本発明を実施するための第３の形態において、前記本発明を実施するための第１の形態と主に異なる点は、目地プレート８、８、８の幅寸法よりもわずかに短い円柱状のローラー１６Ｂを用いるとともに、このローラー１６Ｂを収納することができるブラケット２０Ｂ用いた押し上げ機構１７Ｂ、１７Ｂ、１７Ｂにした点で、このような押し上げ機構１７Ｂ、１７Ｂ、１７Ｂを用いて構成した床用目地装置１Ｂにしても、前記本発明を実施するための第１の形態と同様な作用効果が得られる。
【００２４】
図１３ないし図１６に示す本発明を実施するための第４の形態において、前記本発明を実施するための第３の形態と主に異なる点は、球状のローラー１６Ａ、１６Ａが前後方向にも所定量移動できるように仕切壁２１、２１を設けたブラケット２０Ｃを用いた押し上げ機構１７Ｃ、１７Ｃ、１７Ｃにした点で、このような押し上げ機構１７Ｃ、１７Ｃ、１７Ｃを用いて構成した床用目地装置１Ｃにしても、前記本発明を実施するための第３の形態と同様な作用効果が得られる。
【００２５】
図１７ないし図１９に示す本発明を実施するための第５の形態において、前記本発明を実施するための第３の形態と主に異なる点は、ブラケット２０Ｄに球状のローラー１６Ａ、１６Ａ、１６Ａを収納し、該球状のローラー１６Ａ、１６Ａ、１６Ａが前後方向に移動できるようにコイルスプリング２２、２２、２２、２２を介装した押し上げ機構１７Ｄ、１７Ｄ、１７Ｄにした点で、このような押し上げ機構１７Ｄ、１７Ｄ、１７Ｄを用いて構成した床用目地装置１Ｄにしても、前記本発明を実施するための第３の形態と同様な作用効果が得られるとともに、地震で左右の床躯体３、３が異なる前後方向に揺れ動いても、ローラー１６、１６、１６が前後方向に移動して、その揺れ動きを吸収することができる。
【００２６】
なお、前記本発明を実施するための各実施の形態では、目地部２に３個の目地プレート８、８、８で覆うものについて説明したが、本発明はこれに限らず、１個の目地プレートで覆うものであってもよい。
【００２７】
また、複数個の目地プレートを並列する場合、並列された複数個の目地プレートの幅寸法とほぼ同じ長さのブラケットを用いてもよい。
【産業上の利用可能性】
【００２８】
本発明は目地部を介して設けられた左右の床躯体間の目地部を覆う床用目地装置を製造する産業で利用される。
【符号の説明】
【００２９】
１、１Ａ、１Ｂ、１Ｃ、１Ｄ：床用目地装置、
２：目地部、        ３：床躯体、
４：傾斜面、        Ｌ：幅寸法、
５：目地プレートスライド支持凹部、  
６：下地プレート、      ７：目地プレート支持凹部、
８：目地プレート、      ９：係合ピン係合ボックス、
１０：係合ピン、      １１：目地プレート取付具、
１２：ヒンジ部材、      １３：カバープレート、
１４：傾斜面、      １５：目地プレート押し上げ片、
１６、１６Ａ、１６Ｂ：ローラー、
１７、１７Ａ、１７Ｂ、１７Ｃ、１７Ｄ：押し上げ機構、
１８：軸、        １９：タッピングビス、
２０、２０Ａ、２０Ｂ、２０Ｃ：ブラケット、
２１：仕切壁、      ２２：コイルスプリング。
【図１】
2015021361.tif 000003
【図２】
2015021361.tif 000004
【図３】
2015021361.tif 000005
【図４】
2015021361.tif 000006
【図５】
2015021361.tif 000007
【図６】
2015021361.tif 000008
【図７】
2015021361.tif 000009
【図８】
2015021361.tif 000010
【図９】
2015021361.tif 000011
【図１０】
2015021361.tif 000012
【図１１】
2015021361.tif 000013
【図１２】
2015021361.tif 000014
【図１３】
2015021361.tif 000015
【図１４】
2015021361.tif 000016
【図１５】
2015021361.tif 000017
【図１６】
2015021361.tif 000018
【図１７】
2015021361.tif 000019
【図１８】
2015021361.tif 000020
【図１９】
2015021361.tif 000021